(57)【要約】【課題】  厚み寸法が大きくなることを抑えるとともに、剛性（断面2次モーメント）を保持することによって、梁の撓みを防止することができ、しかも、釘やネジ等の固定具の打ち込みもできる、新しい補強梁およびこの補強梁を用いた開口部補強構造を提供する。【解決手段】  開口部に設置される補強梁(1)であって、断面H形金属棒材(2)に形成されている2つの溝(4)夫々に木質材(3)が装着されていることを特徴とする。【選択図】図１
2005042494.tif 000002
【特許請求の範囲】
【請求項１】
開口部に設置される補強梁であって、断面H形金属棒材に形成されている2つの溝夫々に木質材が装着されていることを特徴とする補強梁。
【請求項２】
断面H形金属棒材の結合片には貫通孔が設けられており、この貫通孔に挿入されたボルトにより両溝内の木質材がボルト締めで緊結されていることを特徴とする請求項１記載の補強梁。
【請求項３】
請求項１または２記載の補強梁を開口部の天枠上部に配置した開口部補強構造であって、断面H形金属棒材は、その両溝に装着された木質材が開口部の前後に向いて配置されていることを特徴とする開口部補強構造。
【請求項４】
請求項３記載の開口部補強構造を備えることを特徴とする引き戸枠構造。
【発明の詳細な説明】
【技術分野】
【０００１】
この出願の発明は、窓枠や引き戸枠等の開口部に設置される補強梁に関するものである。さらに詳しくは、この出願の発明は、厚み寸法が大きくなることを抑えるとともに、剛性（断面2次モーメント）を保持することによって、梁の撓みを防止することができ、しかも、釘やネジ等の固定具の打ち込みもできる、新しい補強梁およびこの補強梁を用いた開口部補強構造に関するものである。
【背景技術】
【０００２】
従来より、住宅等の建造物における壁面開口部（例えば、窓枠や引き戸枠等の開口部）の梁を構成する部材としては木材が利用されていた。ただし、木材は剛性が十分でないため、これを水平に設置した梁は時間の経過とともにその中央部が下方に撓むという問題点を有していた。特に、間口の広い開口部では中央部の撓みによって、扉の開閉に不具合が生じることが避けられなかった。
【０００３】
そこで十分な強度を有する梁材として、H形鋼を利用した補強梁が提案されている。また、図７に示したように、H形鋼（ア）の両側二辺を形成する片部の外面に木材（イ）を取り付け固定することによって、さらに剛性を補強するとともに、この木材（イ）に釘等の固定具を打ち込むことによって互いに連結した複合梁を構成することのできる補強梁も提案されている（特許文献１参照）。
【特許文献１】特開平10-299080号公報
【発明の開示】
【発明が解決しようとする課題】
【０００４】
前記特許文献１の補強梁は、梁部材としての十分な強度を有し、しかもその木材部分を利用して他の建材等との連結を容易とする点において優れた梁部材である。
【０００５】
しかしながら、この補強梁の場合には、図７にも示したようにH形鋼（ア）の両側片部の外面に木材（イ）を取り付けているため、H形鋼（ア）の厚み寸法が、通常の梁よりも大きくなる。そのため、この梁を設置するためには、通常より大きなスペースを余分に確保する必要があるという問題があった。そこで、この補強梁の全体のサイズを縮小すること、すなわち、H形鋼（ア）の厚み寸法（連結片の長さ寸法）あるいは木材（イ）の厚み寸法を小さくすることも考慮できるが、H形鋼（ア）の厚み寸法を小さくすると、梁の剛性（断面2次モーメント）が低下することとなる。また、木材（イ）の厚み寸法を小さくすると、釘等の打ち込みが困難となるという問題があった。
【０００６】
そこでこの出願の発明は、以上のとおりの事情に鑑みてなされたものであって、従来の問題点を解消し、厚み寸法が大きくなることを抑えるとともに、剛性（断面2次モーメント）を保持することによって、梁の撓みを防止することができ、しかも、釘やネジ等の固定具を打ち込むこともできる、新しい補強梁およびこの補強梁を用いた開口部補強構造を提供することを課題としている。
【課題を解決するための手段】
【０００７】
この出願の発明は、上記の課題を解決する手段として、第1には、開口部に設置される補強梁であって、断面H形金属棒材に形成されている2つの溝夫々に木質材が装着されていることを特徴とする補強梁を提供し、第2には、金属棒材の結合片には貫通孔が設けられており、この貫通孔に挿入されたボルトにより両溝内の木質材がボルト締めで緊結されていることを特徴とする補強梁を提供する。
【０００８】
また、この出願の発明は、第3には、上記の第1の発明または第2の発明の補強梁を開口部の天枠上部に配置した開口部補強構造であって、断面H形金属棒材は、その両溝に装着された木質材が開口部の前後に向いて配置されていることを特徴とする開口部補強構造を提供する。
【０００９】
さらにまた、この出願の発明は、第4には、上記の第3の発明を備えることを特徴とする引き戸枠構造をも提供する。
【発明の効果】
【００１０】
上記第1の補強梁によれば、梁の厚み寸法が大きくなることを抑えるとともに、剛性（断面2次モーメント）を保持することによって、梁の撓みを防止することができ、しかも、釘やネジ等の固定具を打ち込むことができる。
【００１１】
また、第2の補強梁によれば、上記第1の補強梁と同様の効果が得られ、また、両溝内の木質材がボルト締めで緊結されているため、断面H形金属棒材と木質材との固定力をより向上させることができる。
【００１２】
さらに、上記第3の開口部補強構造によれば、広い（長い）寸法の開口部の場合でも、梁の撓みを防止することのできる開口部補強構造を提供することができる。
【００１３】
そして、上記第4の引き戸枠構造によれば、上記第3の開口部補強構造と同様の効果が得られることにより、引き戸レールの撓みを防止することができ、スムースな引き戸の開閉を図ることができる。
【発明を実施するための最良の形態】
【００１４】
この出願の発明は上記のとおりの特徴をもつものであるが、以下、その実施の形態について詳しく説明する。
【００１５】
図１は、この出願の発明の一実施形態を例示した分解断面図である。この図１に沿って説明すると、この出願の発明の補強梁(1)は、両側二辺を形成する片部（21）とこれらの片部（21）を中央部で結合する結合片（5）とからなる断面H形金属棒材(2)と、この断面H形金属棒材(2)の2つの溝（4）に装着される木質材(3)とによって構成される。木質材(3)をボンド等の各種接着剤によって断面H形金属棒材(2)の溝（4）に装着することによって、図２に例示したような補強梁(1)とすることができる。このような補強梁(1)によって、梁の厚み寸法が大きくなることを抑えることができる。また、断面H形金属棒材(2)によって剛性（断面2次モーメント）を保持して、梁の撓みを防止することができるとともに、木質材(3)の部分には従来のように釘やネジ等の固定具を打ち込むことができる。
【００１６】
断面H形金属棒材(2)は、市販の規格品H形鋼（例えば建築構造用のJISサイズH形鋼等）を使用することができる。あるいは、鉄、アルミニウム、ステンレススチール等の各種の金属類を断面H形に圧延成型する等して製造したものを使用することもできる。また、木質材(3)は、合板、OSB（配向性削片材料）、MDF等の各種の素材とすることができ、さらに各種の塗装・加工処理を施すこともできる。
【００１７】
図３および図４は、この出願の発明の別の実施形態を概略的に例示した分解正断面図および正断面図である。この図３および図４に例示した実施形態は、基本的な点は前記の例と同様であるが、断面H形金属棒材(2)の結合片(5)に貫通孔(51)を設け、この貫通孔(51)にボルト(6)を挿入して、両側の溝(4)内の木質材(3)がボルト締めで緊結されている点で異なっている。
【００１８】
この貫通孔(51)は、複数設けることもでき、貫通孔(51)の数に合わせて複数のボルト(6)により木質材(3)を緊結してもよい。
【００１９】
もちろん、上記の緊結手段として、ボルト(6)の使用以外にも、釘やネジ等の各種固定具を適宜に採択して利用することもできる。たとえば、図４に例示した補強梁の場合は、複数の取り付け孔(7)が設けられた断面H形金属棒材(2)の溝それぞれに木質材(3)を装着されており、そして、この複数の取り付け孔(7)に釘(8)を挿入することによって、より強行に木質材(3)を装着固定することもできる。さらに、予め接着剤等で木質材（３）を接着させ、次いでボルト(6)や釘（８）等で固定することもできる。
【００２０】
なお、木質材(3)の表面に、ボルト頭(61)やナット(62)等の形状と略適合する程度の凹部(図示せず)を設けることで、ボルト頭(61)やナット(62)が木質材(3)に埋め込まれ、木質材(3)表面がすっきりとした補強梁(1)とすることができる。また、図４に例示したように、断面H形金属棒材(2)に取り付け孔(7)を設けた場合においても、上記と同様の目的のために凹部(71)を設けることもでき、釘頭(81)やネジ頭等の固定具頭頂部を断面H形金属棒材(2)表面と略面一とすることができる。
【００２１】
このようにして、断面H形金属棒材(2)に木質材(3)を緊結することにより、接着剤等だけで装着するよりも、より強固に装着・固定することができる。
【００２２】
図５は、この出願の発明の補強梁を開口部の天枠上部に配置した実施形態を概略的に例示した正面図であり、図６は、図５におけるA-A断面図である。
【００２３】
図５では、引き戸開口部における補強梁の実施形態を例示している。この引き戸開口部は、左右両端に設置される横枠(9)、その上部に設置される天枠(10)および引き戸(11)から構成されている。図５に例示したとおり、この開口部補強構造において、補強梁(1)は、その木質材(3)が開口部の前後に向いて配置されている。このような補強梁(1)の配置とすることにより、荷重による梁の撓みを効果的に防止することができる。その結果、横枠(9)が設置されていない天枠(10)中央部の撓みを防止することができ、引き戸(11)の開閉をスムースに行うことができる。さらに、図６の断面図に示したように、木質材(3)が開口部の前後に向いて配置されていることによって、釘（13）等をこの木質材(3)に打ち込むことによって壁材（12）を梁部に固定することも可能となる。
【００２４】
もちろん、この出願の発明の補強梁を利用した開口部補強構造は、上記の引き戸枠補強構造としての利用だけでなく、たとえば、窓枠補強構造等にも利用することができる。
【００２５】
この出願の発明の補強梁(1)は、以上の例示に限られることはない。たとえばその大きさや形状等、その細部の形態において様々に可能であることは言うまでもない。
【産業上の利用可能性】
【００２６】
以上詳しく説明したとおり、この出願の発明によって、厚み寸法が大きくなることを抑えるとともに、剛性（断面2次モーメント）を保持することによって、梁の撓みを防止することができ、しかも、釘やネジ等の固定具の打ち込みもできる、新しい補強梁およびこの補強梁を用いた開口部補強構造が提供される。
【００２７】
そして、このような開口部補強構造は、引き戸枠構造や窓枠構造等として利用することができる。
【図面の簡単な説明】
【００２８】
【図１】この出願の発明の一実施形態を例示した分解断面図である。
【図２】図１の実施形態を例示した断面斜視図である。
【図３】この出願の発明の別の実施形態を例示した分解正断面図である。
【図４】この出願の発明のさらに別の実施形態を概略的に例示した正断面図である。
【図５】この出願の発明の補強梁を開口部の天枠上部に配置した実施形態を概略的に例示した正面図である。
【図６】図５におけるA-A断面図である。
【図７】従来のH形鋼を例示した斜視図である。
【符号の説明】
【００２９】
1  補強梁
2  断面H形金属棒材
21  片部
3  木質材
4  溝
5  結合片
51  貫通孔
6  ボルト
61  ボルト頭
62  ナット
7  取り付け孔
71  凹部
8  釘
81  釘頭
9  横枠
10  天枠
11  引き戸
12  壁材
13  釘
ア  H形鋼
イ  木材
【図１】
2005042494.tif 000003
【図２】
2005042494.tif 000004
【図３】
2005042494.tif 000005
【図４】
2005042494.tif 000006
【図５】
2005042494.tif 000007
【図６】
2005042494.tif 000008
【図７】
2005042494.tif 000009